(57)【要約】【課題】動画・音声記録中のタッチパネルと指との接触を軽減することで、接触音の発生を低減することを可能にした撮像装置の制御方法を提供すること。【解決手段】動画撮影可能であり、動画及び音声記録手段及びタッチ操作検出手段を有し、動画撮影時の録音感度に応じて、前記タッチ操作検出手段のタッチ操作検出感度を変更することを特徴とする。【選択図】図２
2016085493.tif 000002
【特許請求の範囲】
【請求項１】
動画撮影可能であり、動画及び音声記録手段（１１１）及びタッチ操作検出手段（１１５）を有し、動画撮影時の録音感度に応じて、前記タッチ操作検出手段（１１５）のタッチ操作検出感度を変更することを特徴とする撮像装置（１００）。
【請求項２】
前記タッチ操作検出手段（１１５）は、前記撮像装置（１００）の録音感度が所定値より高い場合に、前記タッチ操作検出感度を動画撮影開始前より高くするように制御することを特徴とする請求項１に記載の撮像装置（１００）。
【請求項３】
前記撮像装置（１００）は、音声記録用の音声入力手段（１１６）を有し、かつ外部から音声入力可能な機器を接続可能な構成（１１７）において、前記音声入力手段（１１６）を用いて録音しない場合は、前記タッチ操作検出感度を、動画撮影開始前から変更しないことを特徴とする請求項１又は請求項２に記載の撮像装置（１００）。
【請求項４】
前記撮像装置（１００）は、音声記録用の音声入力手段（１１６）を有し、前記タッチ操作検出手段（１１５）は、前記撮像装置本体のヒンジを介して回転可能に取り付けられたタッチパネルである構成において、前記タッチ操作検出感度は、音声入力手段（１１６）とタッチパネルとの位置関係によって変更することを特徴とする請求項１又は請求項２に記載の撮像装置（１００）。
【請求項５】
前記タッチ操作検出感度は、前記音声入力手段（１１６）の指向性とタッチパネルとの位置関係によって変更することを特徴とする請求項４に記載の撮像装置（１００）。
【請求項６】
前記位置関係とは、前記音声入力手段（１１６）とタッチパネルとの距離であることを特徴とする請求項４又は請求項５に記載の撮像装置（１００）。
【請求項７】
前記位置関係とは、前記音声入力手段（１１６）とタッチパネルとの角度であることを特徴とする請求項４又は請求項５に記載の撮像装置（１００）。
【請求項８】
前記タッチ操作検出手段（１１５）は、静電容量式のタッチパネルであり、前記タッチ操作検出感度は、タッチ操作有効時の静電容量値の設定によって変更することを特徴とする請求項１乃至請求項７の何れか一項に記載の撮像装置（１００）。
【請求項９】
前記タッチ操作検出手段（１１５）は、表示装置（１１２）に表示されているアイコン（８０１）へのタッチ操作を検出し、前記タッチ操作検出感度に応じて、アイコン（８０１）の表示形態を変更することを特徴とする請求項１乃至請求項８の何れか一項に記載の撮像装置（１００）。
【請求項１０】
前記表示装置（１１２）は、前記タッチ操作検出感度の感度レベルを表示することを特徴とする請求項１乃至請求項９の何れか一項に記載の撮像装置。
【発明の詳細な説明】
【技術分野】
【０００１】
本発明は、撮像装置に関し、特に動画及び音声の記録が可能であり、タッチパネルを有する撮像装置に関する。
【背景技術】
【０００２】
従来、音声付き動画の記録可能な様々な撮像装置において、タッチパネルによる入力操作が搭載されている。タッチパネルは、ユーザーの見ている箇所を指先で触れて入力操作を行えるため、ユーザーが直観的に操作することが可能となっている。但し、音声記録中に各種設定変更を行うためにタッチパネル操作が行われた場合には、指がタッチパネルへの接触した音が記録されてしまうという課題があった。
【０００３】
特許文献１ではボタンへの指の接触を検知する接触検知手段を有し、音声記録中にボタンへの接触を検知した場合、記録している音声信号に対して、ボタン操作の音を除去するようなフィルタをかける手法が開示されている。
【０００４】
この手法によれば、動画撮影中にタッチパネルを操作した際、指がタッチパネルに接触する音が記録されることを軽減することが出来る。
【先行技術文献】
【特許文献】
【０００５】
【特許文献１】特開２００６−３９１０５号公報
【発明の概要】
【発明が解決しようとする課題】
【０００６】
しかしながら、上述の特許文献に開示された従来技術では、音声信号に対してフィルタ処理をするため、タッチパネル操作中に記録される音声の音質に影響を与えてしまう。
【０００７】
そこで、本発明の目的は、動画・音声記録中の音質を落とさずに、指とタッチパネルとの接触を軽減することで、接触音の発生を低減することを可能にした撮像装置の制御方法を提供することにある。
【課題を解決するための手段】
【０００８】
上記目的を達成するために、本発明の撮像装置の制御方法は、動画撮影可能であり、動画及び音声記録手段及びタッチ操作検出手段を有し、動画撮影時の録音感度に応じて、前記タッチ操作検出手段のタッチ操作検出感度を変更することを特徴とする。
【発明の効果】
【０００９】
本発明によれば、動画記録中にタッチパネル操作が行われた場合でも、タッチパネルへの接触を軽減することで、接触音の発生を低減することを可能にした撮像装置の制御方法を提供することができる。また、動画記録中の録音感度によってタッチ操作検出感度を変更することで、接触音を拾いにくいような録音感度設定の場合に、タッチ操作時の入力精度を落とさずに実現することができる。
【図面の簡単な説明】
【００１０】
【図１】本発明の実施形態に係る、撮像装置の構成を示すブロック図である。
【図２】本発明の実施形態に係る、タッチパネル操作の検出閾値を変更する制御を示すフローチャート図である。
【図３】本発明の実施形態に係る、タッチ入力操作有効時の静電容量値を変化させた場合のタッチパネルと指との位置関係を示す図である。
【図４】本発明の実施形態に係る、録音感度に応じたタッチパネル操作の検出閾値変更の例を説明する図である。
【図５】本発明の実施形態に係る、タッチパネルの位置に応じた、タッチパネル操作の検出閾値を変更する制御を示すフローチャート図である。
【図６】本発明の実施形態に係る、タッチパネルの位置に応じた、タッチパネル操作の検出閾値変更の例を説明する図である。
【図７】本発明の実施形態に係る、マイクの指向性とタッチパネルの位置に応じた、タッチパネル操作の検出閾値変更の例を説明する図である。
【図８】本発明の実施形態に係る、タッチパネル操作の検出閾値に応じた、タッチ操作表示形式変更の例を示す図である。
【図９】本発明の実施形態に係る、タッチパネル操作の検出閾値に応じた、タッチパネル操作入力感度表示の例を示す図である。
【発明を実施するための形態】
【００１１】
以下に、本発明の好ましい実施の形態を、添付の図面に基づいて詳細に説明する。
【実施例１】
【００１２】
図１は本発明の実施形態に係る撮像装置１００の一例として、撮像装置の構成を示すブロック図である。図１において、レンズ部１０１は、ズーム機能、焦点調節機能及び、絞り調節機能を備える。撮像素子１０２は、レンズ部１０１を介して撮像面上に結像された、被写体の光学像を電気信号に変換する。
【００１３】
１０３は撮像素子１０２のアナログ信号出力をデジタル信号に変換するＡ／Ｄ変換部であり、Ａ／Ｄ変換されたデジタル信号は、メモリ制御部１０５及びシステム制御部１０６により制御され、メモリ１０７に格納される。１０４は画像処理部であり、前記デジタル信号のデータ或いはメモリ制御部１０５からのデータに対して所定の画素補間処理や色変換処理を行う。
【００１４】
１０５はメモリ制御部であり、Ａ／Ｄ変換部１０３、画像処理部１０４、システム制御部１０６、表示装置１１２、外部着脱メモリ１１１とメモリ１０７間のデータの送受を制御する。１０６は撮像装置１００全体を制御するシステム制御部である。１０７はメモリであり、システム制御部１０６のプログラムスタック領域、ステータス記憶領域、演算用領域、ワーク用領域、画像表示データ用領域が確保されている。各種の演算は、メモリ１０７の演算用領域を利用し、システム制御部１０６により実行される。
【００１５】
１０９はシステム制御部１０６へ各種動作指示を入力するための各種操作部であり、スイッチやダイアル、タッチパネル、視線検知によるポインティング、音声認識装置等の単数或いは複数の組み合わせで構成される。１１０は電気的に消去・記録可能な不揮発性メモリであり、例えばフラッシュメモリやＥＥＰＲＯＭ等が用いられる。不揮発性メモリ１１０には、撮影状態の保存や、撮像装置１００を制御するプログラム等が格納されている。１１１はコンパクトフラッシュ（登録商標）やＳＤカードといった記録媒体に画像ファイル、音声付動画ファイルの記録や読出を行うための外部着脱メモリ部である。
【００１６】
１１２はタッチパネル機能付の液晶ディスプレイ型表示装置であり、液晶パネル表示部１１３、バックライト照明部１１４及びタッチパネル部１１５により構成される。
１１３は液晶パネル表示部であり、システム制御部１０６の指示により、メモリ１０７の画像表示データ用領域に格納されたメニュー画面、又は外部着脱メモリ部１１１に格納された画像ファイルを表示することが可能である。
【００１７】
１１４はバックライト照明であり、液晶パネル表示部１１３に対して背面照射する。バックライト照明の光源素子としては、ＬＥＤ、有機ＥＬ、蛍光管等がある。システム制御部１０６の指示により、照明を任意に点灯或いは消灯することが可能である。
【００１８】
１１５はタッチパネル部であり、タッチ検出方式としては、静電容量の変化を検知することでタッチ入力操作の有無を判定する静電容量方式を使用する。このタッチパネル部１１５により、撮影設定や表示設定に関するメニュー操作が可能である。また、撮影画像のスルー画像を表示装置１１２に表示させるライブビュー撮影中は、表示装置１１２に表示されている被写体をタッチ操作により選択することで、選択した被写体に対してＡＦ（オートフォーカス）処理を行うことが可能である。
【００１９】
図３はタッチパネル１１５部でタッチ入力操作有効時の静電容量値を変化させた場合のタッチパネルと指との位置関係を示す図である。タッチ入力操作有効時の静電容量値として、閾値１ａ、閾値２ａと閾値３ａの三つの閾値が設定されている場合を例に説明する。
【００２０】
図３（ａ）に示すように、タッチ入力操作時の検出容量値が閾値１ａを越えた場合、ユーザーの指３００がタッチパネル部１１５の表面に触れた（図３（ｂ）に示す３０１の距離以内にある）と判断し、タッチ入力操作が有効になる。
【００２１】
図３（ｃ）に示すように、タッチ入力操作時の検出容量値が閾値２ａを越えた場合、ユーザーの指３００とタッチパネル部１１５の表面との距離が、図３（ｄ）に示す距離３０２以内（例えば０．５ｃｍ以内）と判断し、タッチ入力操作が有効になる。
【００２２】
図３（ｅ）に示すように、タッチ入力操作時の検出容量値が閾値３ａを越えた場合に、ユーザーの指３００とタッチパネル部１１５の表面との距離が、図３（ｆ）に示す距離３０３以内（例えば１．０ｃｍ以内）と判断し、タッチ入力操作が有効になる。
【００２３】
このようにタッチパネル部１１５は、タッチ入力操作有効時の静電容量値を変化させることで、タッチパネルから指が離れた位置においてもタッチ入力操作を有効にする（タッチパネルのタッチ操作検出感度を高くする）ことが可能である。
【００２４】
１１６は、音声情報を取得する撮像装置１００内蔵のマイクロフォンであり、音声信号を電気信号に変換する。１１７は、音声情報を取得するマイク機器を撮像装置１００へ接続することが可能な外部マイクＩ／Ｆ部である。外部マイクＩ／Ｆ部１１７にマイク機器が接続された場合は、システム制御部１０６の指示よって、音声コーデック部１１８へ入力される電気信号は、マイクロフォン１１７から外部マイクへ切り替わる。
【００２５】
１１８は音声コーデック部であり、音声信号の符号化・復号化処理回路やマイク・スピーカを駆動するアンプ、音声信号に含まれるノイズを除去するフィルタ回路、音声信号レベルを調整する回路を内蔵している。システム制御部１０６から音声コーデック部１１８へマイクアンプのゲインを設定することで、動画撮影時の音声録音感度を変更することが可能である。これにより、動画撮影中記録される音声の音量を調整することが出来る。
【００２６】
１１９は音声出力のためのスピーカであり、音声コーデック部１１８から出力されたアナログ信号を音声として出力する。
【００２７】
次いで本発明の実施形態に係る、音声の録音感度に応じたタッチパネルのタッチ操作検出感度変更について図２、図４用いて説明する。図２は動画撮影におけるタッチパネル部１１５の制御を示すフローチャートである。図４は図２に示す動画記録中の録音感度に応じたタッチパネルのタッチ操作検出感度変更の例を説明する図である。
【００２８】
ステップＳ２０１では、動画撮影モードにおいて、ユーザーが入力操作部１０９に含まれる動画開始スイッチを押した場合、動画記録が開始される。なお、動画撮影モードは、入力操作部１０９に含まれるモードダイヤルまたはモード変更ボタンをユーザーが操作することによって行うことが出来る。
【００２９】
ステップＳ２０２では、現在の録音感度に応じて、システム制御部１０６によりタッチ操作検出感度を変更する。録音感度は、ユーザーによって動画撮影開始前、もしくは動画撮影中に変更できるものとする。また、録音感度はシステム制御部１０６から、音声コーデック部１１８へ指示を出すことで複数段階設定することが可能である。
【００３０】
図４を用い、録音感度に応じたタッチ操作検出感度の変更について説明する。動画撮影時の録音感度ＧがＧ≦Ｇ１（例えば、録音感度１０段階中３段目以下）の場合、タッチ入力操作有効時の静電容量値を閾値１ａとする。つまり、タッチ操作検出感度は動画撮影開始前の通常操作時の感度レベルから変更しない（図３（ｂ）の距離３０１）。
【００３１】
録音感度がＧ１＜Ｇ≦Ｇ２（例えば録音感度１０段階中４〜６段目）の場合、タッチ入力操作有効時の静電容量値を閾値２ａとする。通常操作時より、タッチパネルから離れた位置でタッチ入力操作が有効となる（図３（ｄ）の距離３０２、例えば０．５ｃｍ）。
【００３２】
録音感度がＧ＞Ｇ２（例えば録音感度１０段階中７〜１０段目）の場合、タッチ入力操作有効時の静電容量値を閾値３ａとする。閾値２ａの場合よりもタッチパネルから離れた位置でタッチ入力操作が有効となる（図３（ｅ）の距離３０３、例えば１．０ｃｍ）。
【００３３】
このように、録音感度に応じて、タッチ入力操作有効時の静電容量値（以下、閾値という）を変更する。タッチ入力操作有効時の閾値をタッチパネルから離れた方向に変更する理由は、録音感度が高い場合に、接触音を拾いやすくなるためである。
【００３４】
録音感度が所定のレベルより高い場合、タッチ操作検出感度を通常時より上げることで、指がタッチパネルへ接触することを軽減させる。但し、タッチ操作検出感度を高くすると、入力精度（ユーザーがタッチした位置と入力座用の整合精度）が低下しまう。そのため、ユーザーは意図した位置を正確にタッチしづらくなるため、誤操作が生じる場合がある。そのため、録音感度が低く（例えば、録音感度１０段階中、３段目以下）であり、接触音を拾いにくい場合は、タッチ操作検出感度を高くする必要はないため、通常操作時から変更しないことで、入力精度の低下を防止する。
【００３５】
なお、上記では、所定の録音感度範囲に対し、タッチ入力操作有効時の閾値を設定したが、閾値は録音感度に対してリニアに変更しても良い。
【００３６】
ステップ２０３では、タッチ操作検出感度変更後に録音感度の変更があったか判定する。ユーザーによって録音感度が変更された場合、ステップＳ２０２に戻り、変更後の録音感度に応じて、タッチ操作検出感度を再度設定する。録音感度の変更がない場合、ステップＳ２０４に進む。
【００３７】
ステップＳ２０４では、動画撮影が終了されたか判定する。入力操作部１０９に含まれる動画終了スイッチが押された場合、ステップＳ２０６へ進む。
【００３８】
ステップＳ２０６では、現在のタッチ操作検出感度が、動画撮影開始前の通常操作時と同じか判定する。異なる場合、Ｓ２０６へ進み、タッチ操作検出感度を動画撮影開始前と同じ通常操作時の設定に戻す。
【００３９】
なお、撮像装置１００の外部マイクＩ／Ｆ部１１７に外部マイクを接続して動画録音記録する場合は、上記で説明した制御を行なわないようにしてもよい。
【００４０】
これは、マイク集音部が撮像装置１００に内蔵された構成では、接触音が筐体を伝わり集音部で拾ってしまう場合があるが、外部マイクでは、その影響は少ないためである。これにより、タッチ操作検出感度を上げることによる、入力精度の低下を外部マイク接続時に防ぐことが出来る。
【００４１】
以上、説明したように、本発明の実施形態によれば、動画音声記録中の録音感度に応じて、タッチ操作検出感度を変更することで、接触音を拾いやすい場合に、タッチパネル操作時の指とタッチパネルとの接触を軽減し、接触音の発生を低減することが出来る。
【実施例２】
【００４２】
以下、図５、図６、図７を参照して、本発明の第２の実施形態について説明する。なお、本実施例は、第１の実施例から変更となる箇所について説明する。第２の実施例では、表示装置１１２が回転可能なヒンジ部を介して回転可能に接続されたバリアングルモニタ部の構成の場合に、第１の実施例に追加して、マイクの指向性とバリアングルの位置によって、タッチ操作検出感度の変更を行う。
【００４３】
図５は第２の実施例に係る動画撮影におけるタッチパネル部１１５の制御を示すフローチャートである。図６、図７はマイクの指向性とタッチパネルの位置によるタッチ操作検出感度の変更を説明する図である。
【００４４】
ステップＳ５０１では、動画撮影モードにおいて、ユーザーが入力操作部１０９に含まれる動画開始スイッチを押した場合、動画記録が開始される。
【００４５】
ステップＳ５０２では、第１の実施形態と同様、現在の録音感度に応じて、システム制御部１０６によりタッチ操作検出感度を変更する。録音感度は、ユーザーによって動画撮影開始前、もしくは動画撮影中に変更できるものとする。また、録音感度はシステム制御部１０６から、音声コーデック部１１８へ指示を出すことで複数段階設定することが可能である（図４）。
【００４６】
ステップ５０３では、タッチ操作検出感度変更後に録音感度の変更があったか判定する。ユーザーによって録音感度が変更された場合、ステップＳ５０２に戻り、変更後の録音感度に応じて、タッチ操作検出感度を再度設定する。録音感度の変更がない場合、ステップＳ５０４に進む。
【００４７】
ステップ５０４では、マイクの指向性とタッチパネルの位置によって、ステップ５０２で設定したタッチ操作検出感度から変更を行う。まず、撮像装置１００に内蔵するマイクが無指向性のマイクロフォンである場合、マイクとタッチパネルとの距離よって、タッチ操作検出感度を変更する。
【００４８】
図７（ａ）７００に示すように、タッチパネル１１５が撮像装置１００に収納された位置にある場合、マイクとタッチパネルとの距離が近いため、タッチ操作時の接触音を拾いやすい。そのため、タッチ操作検出感度は、ステップ５０２で設定したものから高くなる方向（タッチパネルから離れた位置でタッチ入力操作が有効になる方向）に変更する。
【００４９】
例えば図６に示すように、録音感度ＧがＧ≦Ｇ１（例えば、録音感度１０段階中３段目以下）のとき、タッチ入力操作有効時の閾値を１ａから１ｂに変更する。同様に、録音感度ＧがＧ１＜Ｇ≦Ｇ２（例えば録音感度１０段階中４〜６段目）の時、閾値を２ａから２ｂに、録音感度ＧがＧ＞Ｇ２（例えば録音感度１０段階中７〜１０段目）の時、閾値を３ａから３ｂに変更する。
【００５０】
図７（ｂ）７０１に示すように、タッチパネル１１５が撮像装置１００本体から開かれた位置にある場合、図７（ａ）と比べマイクとタッチパネルとの距離が離れているため、タッチ操作の際の接触音を拾いにくい。そのため、タッチ操作入力感度は、ステップ５０２で設定したものから変更を行なわない。これにより、マイクに対するタッチパネルの距離によって、タッチ操作時の接触音を拾いやすい場合に、タッチパネルへの接触を軽減し、接触音の発生を低減することが出来る。
【００５１】
一方、撮像装置１００に内蔵するマイクが指向性を持つ場合、マイクと、タッチパネルの位置（角度）によってタッチ操作検出感度を変更する。例えば、撮像装置前方向の音を集音するような指向性マイクの場合、図７（ｃ）、図７（ｄ）に示すようなタッチパネルの位置（角度）では、接触音を拾いにくい。そのため、タッチ入力操作感度は、ステップ５０２で設定したものから変更しない。もしくは、タッチ入力操作感度を通常操作時の感度に設定しても良い（入力精度を優先させる）。
【００５２】
但し、撮像装置後方の音を集音するような指向性マイクを備えている場合、図７（ｅ）に示すようなタッチパネルの位置（角度）では接触音を拾いやすい。そのため、タッチ操作検出感度は、図６で説明したように、ステップ５０２で設定したものから高くなる方向（タッチパネルから離れた位置でタッチ入力操作が有効になる方向）に変更する。
これにより、マイクの指向性により接触音を拾いやすい位置（角度）にタッチパネルがある場合に、タッチパネルへの接触を軽減し、接触音の発生を低減することが出来る。
【００５３】
なお、図６に示す、タッチ入力操作有効時の閾値変更範囲は、マイクの指向性、タッチパネルの位置関係によって任意に設定可能とする。
【００５４】
以上、説明したように、第２の実施形態においては、録音感度に応じて、タッチパネル１１５のタッチ操作検出感度を変更することに併せて、マイクの指向性とタッチパネルとの距離もしくは、角度によってタッチ操作検出感度を変更する。
【００５５】
これにより、バリアングル構成の撮像装置１００において、接触音を拾いやすいようなタッチパネルの位置においても、タッチパネルへの接触を軽減し、接触音の発生を低減することが出来る。
【実施例３】
【００５６】
次に、図４、図８を参照して、本発明の第３の実施例によるタッチ操作検出感度に応じた、液晶パネル表示部へのアイコン表示形式変更について、説明する。本実施例は、第１、第２の実施形態において、タッチ操作検出感度を高くした際の入力精度低下を補うことを目的とする。なお、本実施例は、第１、第２の実施例から変更となる箇所について説明する。
【００５７】
図８（ａ）に、動画撮影開始前の液晶パネル表示部１１３に表示されるアイコンへのタッチ入力操作受付範囲８００とアイコン表示範囲８０１を示す。
【００５８】
図４で示すように、動画撮影時の録音感度ＧがＧ≦Ｇ１であり、タッチ入力操作有効時の閾値が１ａの場合、動画撮影開始前から、入力操作受付範囲および、アイコン表示範囲の大きさは変更しない（図８（ａ）８００および８０１）。
【００５９】
録音感度がＧ１＜Ｇ≦Ｇ２もしくはＧ＞Ｇ２であり、タッチ操作検出感度を高くする場合、動画撮影開始前から、入力操作受付範囲およびアイコン表示範囲の大きさを拡大する。（図８（ｂ）８０２および８０３）もしくは、入力操作受付範囲のみを拡大する（図８（ｃ）８０４および８０５）。
【００６０】
入力操作受付範囲、表示アイコン範囲の大きさは、タッチ操作検出感度の大きさに応じて変更しても良い。例えば、図４で示す閾値３ａでは、閾値２ａより表示アイコン範囲、入力操作受付範囲の大きさを拡大する。（図８（ｂ））または、入力操作受付範囲のみを閾値２ａより拡大する（図８（ｃ））。動画撮影が終了した場合は、動画撮影開始前と同様のアイコン表示形式（図８（ａ））に戻す。
【００６１】
以上説明したように、第３の実施形態においては、録音感度に応じて、タッチパネル１１５のタッチ操作検出感度を変更することに併せて、液晶パネル表示部１１３へのアイコン表示範囲と入力操作受付範囲の大きさを変更する。もしくは、表示アイコンへの入力操作受付範囲のみを拡大する。
【００６２】
これにより、実施形態１、２の効果に加えて、タッチ操作検出感度を高くした場合に、入力精度低下による誤操作を防止することが出来る。
【実施例４】
【００６３】
次に、図４、図９を参照して、本発明の第４の実施例によるタッチ操作検出感度に応じた、液晶パネル表示部１１３へのタッチ操作検出感度の感度レベル表示について、説明する。本実施例は、第１、第２の実施形態において、タッチ操作検出感度を高くしたことをユーザー側へ知らせることを目的とする。なお、本実施例は、第１、第２の実施例から変更となる箇所について説明する。
【００６４】
図４に示すように、録音感度がＧ１＜Ｇ≦Ｇ２もしくはＧ＞Ｇ２であり、タッチ検出感度を高くする場合（閾値２ａもしくは閾値３ａ）、図８に示すように液晶パネルへタッチ操作検出感度が変更されたこと表示する。なお、ユーザーへタッチ操作検出感度が変更されたことが伝わる表示であれば、表示形式は文字・レベルメータ・色等による様々な形式でも構わない。
【００６５】
以上説明したように、第４の実施形態においては、録音感度に応じて、タッチパネル１１５のタッチ操作検出感度を変更することに併せて、その時のタッチ操作検出感度レベルを液晶パネルへ表示する。
【００６６】
これにより、視覚的に現在のタッチ操作検出感度レベルを認識できるため、ユーザーは指からどのくらいの距離でタッチ操作が有効になるか気づきやすくなる。ユーザーが、タッチ操作検出感度が高くなっていることに気付かずにタッチパネルに接触して操作してしまう機会を低減することが出来る。
【００６７】
以上、本発明の好ましい実施形態について説明したが、本発明はこれらの実施形態に限定されず、その要旨の範囲内で種々の変形及び変更が可能である。
【００６８】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６９】
１００  撮像装置、１０６  システム制御部、１１１  外部着脱メモリ、
１１２  表示装置部、１１５  タッチパネル部、１１６  マイクロフォン、
１１７  外部マイクＩ／Ｆ部、１１８  音声コーデック部、８０１  アイコン
【図１】
2016085493.tif 000003
【図２】
2016085493.tif 000004
【図３】
2016085493.tif 000005
【図４】
2016085493.tif 000006
【図５】
2016085493.tif 000007
【図６】
2016085493.tif 000008
【図７】
2016085493.tif 000009
【図８】
2016085493.tif 000010
【図９】
2016085493.tif 000011